(57)【要約】【課題】従来の加湿フィルタの清掃方法の改善し、使用者の手を煩わせることなく加湿フィルタの清掃を行うことができ、高い加湿量を維持することを目的とする。【解決手段】吸気口１０と、排気口１１と、送風機としてのファン１６と、加湿風路に設けた加湿容器としての貯水トレイ１４と、この貯水トレイ１４内に注入される加湿水内に下端部が浸漬される加湿体１３と、前記加湿体１３の位置を固定する上部支持枠２２および下部支持枠２５と、前記加湿体１３を清掃するための変形手段を備えた加湿機において、前記加湿体１３が弾性変形可能で１箇所以上の屈曲部２６を備えるように上部支持枠２２および下部支持枠２５に係留されて形状が固定され、清掃時には本体ケース１２の内部で加湿体１３が屈曲部２６を折り曲げながら弾性変形して汚れが剥離されることを特徴とした加湿装置であり、加湿体１３を本体内部で清掃できる。【選択図】図１
2014055682.tif 000002
【特許請求の範囲】
【請求項１】
吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される加湿体と、前記加湿体の位置を固定する支持枠と、前記加湿体を清掃するための変形手段を備えた加湿機において、前記加湿体が弾性変形可能であり、前記加湿体が１箇所以上の屈曲部を備えるように支持枠に係留されて形状が固定され、清掃時には本体ケースの内部で加湿体が屈曲部を折り曲げながら弾性変形して汚れが剥離されることを特徴とした加湿装置。
【請求項２】
支持枠が、水をくみ上げる水補給部を備えたことを特徴とする請求項１記載の加湿装置。
【請求項３】
水補給部でくみ上げた水を、弾性変形させた後の加湿体に供給することを特徴とする請求項２記載の加湿装置。
【請求項４】
加湿体は、網目状で構成されることを特徴とした請求項１または２に記載の加湿装置。
【請求項５】
清掃時に、加湿体が加湿水に接しながら変形することを特徴とする請求項１乃至４いずれかに記載の加湿装置。
【請求項６】
加湿体は、清掃後に清掃前の設置位置に戻る請求項１乃至５いずれかに記載の加湿装置。
【請求項７】
変形手段は、弾性変形可能な加湿体を変形させて清掃を行うものであり、清掃時に支持枠を介して加湿体に荷重をかける請求項１乃至６いずれかに記載の加湿装置。
【請求項８】
加湿容器に水を供給するためのタンクを備え、変形手段は前記タンクの着脱と連動して、加湿体を清掃することを特徴とする請求項１乃至７いずれかに記載の加湿装置。
【請求項９】
変形手段は、清掃時に加湿体の支持枠に接触して清掃する加湿体接触部、タンクを設置する際にタンクを受けるタンク接触部、および前記加湿体接触部と前記タンク接触部を連動させる連動部からなり、前記タンク接触部の動作が前記連動部を介して前記加湿体接触部を動作させる請求項８記載の加湿装置。
【請求項１０】
加湿容器に、支持枠を固定する位置固定手段を備えたことを特徴とした請求項１乃至９いずれかに記載の加湿装置。
【請求項１１】
加湿体の網目形状は、垂直方向に２辺が延びた六角形で構成した請求項２乃至１０いずれかに記載の加湿装置。
【請求項１２】
前記加湿体の網目形状は、縦長六角形で構成した請求項１１記載の加湿装置。
【請求項１３】
前記加湿体は、立体編物であることを特徴とした請求項４乃至１２のいずれかに記載の加湿装置。
【請求項１４】
請求項１乃至１３いずれかに記載の加湿装置の前記加湿風路に空気浄化フィルタを備えたことを特徴とした加湿機能付空気清浄装置。
【発明の詳細な説明】
【技術分野】
【０００１】
本発明は、加湿フィルタを用いて空気を加湿する加湿装置において、その加湿フィルタを清掃する方法に関する。
【背景技術】
【０００２】
従来、加湿フィルタの清掃方法は、本体内から加湿フィルタを容易に取り出せるようにしたことにより、加湿フィルタを清掃できるものが知られている（例えば、特許文献１参照）。
【０００３】
図１１に示すように、この加湿フィルタ１０１はタンクを取り外し後、貯水トレイ１０２と同時に本体から取り外すことができ、貯水トレイ１０２から加湿フィルタ１０１を自在に着脱することができる。使用者は、加湿フィルタ１０１をフィルタケース１０３から取り出して清掃することができる。
【０００４】
また、吸水した加湿体に通風することによって加湿を行う加湿機において、支柱部からなる保持枠と、保持枠に取り付けた加湿体からなり、保持枠からの着脱を容易にして水洗い等の清掃を行いやすくしたものが知られている（例えば、特許文献２参照）。
【先行技術文献】
【特許文献】
【０００５】
【特許文献１】特許第４０１１２７３号公報
【発明の概要】
【発明が解決しようとする課題】
【０００６】
このような従来の加湿装置においては、本体内から加湿フィルタを容易に取り出すことができるが、使用者が定期的に手作業によって清掃を行う必要がある。
【０００７】
そこで本発明は、従来の加湿フィルタの清掃方法を改善し、使用者の手を煩わせることなく加湿フィルタの清掃を行うことができ、高い加湿量を維持することを目的とするものである。
【課題を解決するための手段】
【０００８】
上記目的を達成するために、本発明は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される加湿体と、前記加湿体の位置を固定する支持枠と、前記加湿体を清掃するための変形手段を備えた加湿機において、前記加湿体が弾性変形可能であり、前記加湿体が１箇所以上の屈曲部を備えるように支持枠に係留されて形状が固定され、清掃時には本体ケースの内部で加湿体が屈曲部を折り曲げながら弾性変形して汚れが剥離されることを特徴としたものであり、これにより初期の目的を達成するものである。
【発明の効果】
【０００９】
以上のように本発明は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される加湿体と、前記加湿体の位置を固定する支持枠と、前記加湿体を清掃するための変形手段を備えた加湿機において、前記加湿体が弾性変形可能であり、前記加湿体が１箇所以上の屈曲部を備えるように支持枠に係留されて形状が固定され、清掃時には本体ケースの内部で加湿体が屈曲部を折り曲げながら弾性変形して汚れが剥離されることを特徴としたものであり、使用者の手を煩わせることがないように、加湿体を本体ケースから取り外すことなく清掃を行うことができるという効果を得ることができる。また、加湿体を清掃するために繰り返し加湿体を変形させても、加湿体の係留位置が安定しているため、加湿効果が低下しないという効果を得ることができる。
【００１０】
すなわち、本発明において、加湿体が弾性変形可能であり、前記加湿体が１箇所以上の屈曲部を備えるように支持枠に係留されて形状が固定され、清掃時には本体ケースの内部で加湿体が屈曲部を折り曲げながら弾性変形して汚れが剥離されることにより、加湿体と枠体とを分離着脱することなく本体ケース内で清掃が行われるため、加湿体の係留位置を安定させることができ、加湿体の下部が安定的に加湿容器内に収まり、加湿体に十分な量の水が供給される。さらに、加湿体の上部も枠体によって係留位置が決められているため、加湿フィルタ自体の弾性変形や使用者による設置時の位置ずれなどによって上部に隙間が生じることがなく、通過する加湿対象空気が十分に水分と接触することができ、その結果、加湿効果を向上することができるものである。
【００１１】
また、加湿体が一箇所以上の屈曲部を備えているので、変形時に屈曲部に沿って加湿体が弾性変形し、常に同じ形状に変形され、加湿体が不均一に変形して汚れの清掃状態が不均一になることがない。また、変形時の力のかかり方が毎回一定であるため、加湿体の部分変形がおこりにくく、加湿に適した形状を長時間保つことができる。
【図面の簡単な説明】
【００１２】
【図１】本発明の実施の形態１の加湿装置のタンク設置状態の構造を示す概略断面図
【図２】同加湿装置のタンク設置状態の構造を別方向からみた概略断面図
【図３】同加湿装置のタンク取り外し状態の構造を示す概略断面図
【図４】同加湿装置のタンク取り外し状態の構造を別方向からみた概略断面図
【図５】同加湿装置の加湿体と支持枠の構造を示す概略斜視図
【図６】同加湿装置の加湿体と上部支持枠の構造を示す概略断面図
【図７】（ａ）本発明の実施の形態２の繊維をばね状に折ったものを複数並べた加湿体の概略図、（ｂ）同繊維からなる編地の加湿体の概略図、（ｃ）同立体編物からなる加湿体の概略図
【図８】同加湿装置のタンク設置状態の加湿体を構成する繊維の構造を示す概略断面図
【図９】同加湿装置のタンク取り外し状態の加湿体を構成する繊維の構造を示す概略断面図
【図１０】本発明の実施の形態３の加湿機能付空気清浄機の構造を示す概略断面図
【図１１】従来例の特許文献１の貯水トレイと加湿フィルタの構造を示す斜視図
【発明を実施するための形態】
【００１３】
本発明の請求項１記載の加湿装置は、吸気口と排気口を有する本体ケースと、吸気口と排気口を連通する加湿風路と、前記本体ケース内の前記加湿風路に設けた送風機と、前記加湿風路に設けた加湿容器と、この加湿容器内に注入される加湿水内に、その下端部が浸漬される加湿体と、前記加湿体の位置を固定する支持枠と、前記加湿体を清掃するための変形手段を備えた加湿機において、前記加湿体が弾性変形可能であり、前記加湿体が１箇所以上の屈曲部を備えるように支持枠に係留されて形状が固定され、清掃時には本体ケースの内部で加湿体が屈曲部を折り曲げながら弾性変形して汚れが剥離されることを特徴とする。これにより、使用者の手を煩わせることがないように、加湿体を本体ケースから取り外すことなく清掃を行うことができるという効果を得ることができる。また、加湿体を清掃するために繰り返し加湿体を変形させても、加湿体の係留位置が安定しているため、加湿効果が低下しないという効果を得ることができる。また、加湿体が一箇所以上の屈曲部を備えているので、変形時に屈曲部に沿って加湿体が弾性変形し、常に同じ形状に変形され、加湿体が不均一に変形して汚れの清掃状態が不均一になることがない。また、変形時の力のかかり方が毎回一定であるため、加湿体の部分変形がおこりにくく、加湿に適した形状を長時間保つことができる。
【００１４】
加湿体の一例としては、発泡ウレタン、弾性を備えた編物、織物、スポンジなどを用いることができる。材質は、ウレタン、ポリエステル、ポリプロピレン、ナイロンなどの樹脂のように弾性と柔軟性を備えていれば特に制約はなく、金属網などを単独あるいは併用して用いてもよい。
【００１５】
また、支持枠が、水をくみ上げる水補給部を備えたものであってもよい。支持枠にくみ上げられた水が、加湿体に供給されることにより、加湿体には貯水容器から吸い上げる水に加えて水補給部からも水が供給されることになり、加湿体をすばやく湿潤状態にして加湿性能を向上させることができる。
【００１６】
また、水補給部でくみ上げた水を、弾性変形させた後の加湿体に供給するものであってもよい。加湿体に汚れが付着していた場合、弾性変形によって加湿体から着脱された汚れが、放置すると再度乾燥して固着する可能性がある。弾性変形させた後の加湿体に、支持枠の水補給部から水を流してやることにより、重力で水と汚れが移動して加湿体に付着していた汚れを清掃することができる。
【００１７】
また、加湿体は、網目状で構成されるものであってもよい。これにより、加湿体を容易に変形させることができ、加湿体に付着したＣａ、Ｍｇなどの水中のスケール成分および埃などの汚れ成分を、繊維の摩擦力によって取り除くことができる。また、加湿体を、圧縮または延伸することにより、加湿体の表面に付着していた固形物状のスケール成分および埃などが加湿体の変形に追随できずに表面から脱着しやすくなり、さらに清掃効果が高めることができる。これにより、加湿体の表面から内部まで清掃できるために、加湿体の性能を回復できる効果を奏する。
【００１８】
また、清掃時に、加湿体が加湿水に接しながら変形するものであってもよい。加湿体が加湿水に接することにより、加湿体の表面に付着していた固形物状のスケール成分および埃などへも水がしみこんでいき、これらの汚れ成分が加湿体から脱着しやすくなり、さらに清掃効果を高めることができる。
【００１９】
また、加湿体は清掃後に清掃前の設置位置に戻るという構成にしてもよい。これにより、清掃時に変形または移動した加湿体が加湿に適した位置に戻るために、清掃後も高い加湿量を維持することができる。
【００２０】
また、変形手段は、弾性変形可能な加湿体を変形させて清掃を行うものであり、清掃時に支持枠を介して加湿体に荷重をかける構成にしてもよい。これにより、使用者は荷重を利用し、簡単に変形手段を動かすことができる。また、支持枠を介して加湿体に荷重をかけることにより、加湿体の端部に均一に力を加えることができ、加湿体の変形状態を安定させることができる。これにより、繰り返し清掃を行っても加湿体の網目構造が常に同じ向きから変形させる力を受けることになり、網目構造の一部に強い力が加わって網目がくずれることがなく、加湿体を加湿に適した形状に保つことができる。
【００２１】
また、加湿容器に水を供給するためのタンクを備え、変形手段は前記タンクの着脱と連動して、加湿体を清掃するものにしてもよい。これにより、前記タンクの取り外しと同時に加湿装置内部で前記加湿体の清掃を行うことができるので、使用者が清掃時に、本体から加湿体を取り出す必要が無く、また、加湿容器の着脱をすることなく、加湿体の清掃を行うことができる。これにより、加湿体のメンテナンスを容易にすることができる。また、タンクに給水するためにタンクを取り出す作業と同時に加湿体の清掃作業を行うことにより、汚れが蓄積する前に加湿体が清掃されるために、過剰な力を与えることなく汚れを落とすことができ、加湿体が劣化せず、高い加湿量を維持することができるという効果を得ることができる。
【００２２】
また、変形手段は、清掃時に加湿体の支持枠に接触して清掃する加湿体接触部、タンクを設置する際にタンクを受けるタンク接触部、および前記加湿体接触部と前記タンク接触部を連動させる連動部からなり、前記タンク接触部の動作が前記連動部を介して前記加湿体接触部を動作させるものにしてもよい。これにより、タンクがタンク接触部を動かすことで、直接加湿体に接触しなくとも加湿体接触部が加湿体の支持枠を介して加湿体を清掃できるため、本体内におけるタンクや加湿体の配置に自由度を持たせることができる。
【００２３】
また、加湿容器に、支持枠を固定する位置固定手段を備えてもよい。これにより、清掃した後に支持枠の位置がずれることがなく、ずれによる隙間の発生がなく安定した加湿を行うことができる。また、加湿体の下部が安定的に加湿容器内に収まり、加湿体に十分な量の水を供給することができる。
【００２４】
また、加湿体の網目形状は、垂直方向に２辺が延びた六角形で構成してもよい。この加湿体の網目形状は、加湿体を加湿容器に設置した時に垂直方向に２辺が延びた六角形で構成したものである。加湿体に吸われた水は、垂直方向に伸びた六角形の２辺に沿って、毛細管現象によって上方に吸い上げられていく。そして、六角形の頂点から網目糸に沿って水が拡散されていくものである。ここで、垂直方向に伸びた六角形の２辺にはもっとも吸水性能が要求され、必然的にもっとも汚れが付着しやすい部分となる。加湿体を変形させる際に、網目を構成する繊維のうち、垂直方向に伸びた六角形の２辺がもっとも伸縮および圧縮されるように垂直方向に配置することにより、効率的に汚れを脱着させて清掃効果を向上させることができる。
【００２５】
また、前記加湿体の網目形状は、縦長六角形で構成してもよい。具体的には、六角形の垂直方向に延びた２辺が、他の辺より長いものである。これにより、六角形の網目の垂直方向に延びた２辺の間隔が広がることにより加湿体１３は大きく変形できるため、繊維の摩擦力を使って汚れの清掃効果を高めることができる。
【００２６】
また、前記加湿体は、立体編物としてもよい。立体編物であれば、繊維同士が編まれて構成されているため、引っ張りに対して変形しやすく加湿体は大きく変形できるため、清掃効果を高めることができる。また、立体編物であれば、引っ張りや圧縮といった作業後には元の形状に戻る性質があるため、網目形状が変化しにくいという効果を得ることができる。立体編物の材質としては、ポリエステルなど加水分解しにくいものが望ましい。
【００２７】
また、加湿風路に空気浄化フィルタを備えてもよい。空気浄化フィルタで加湿風路に吸い込まれる埃や雑菌を除去することによって、加湿体に付着する埃の量を軽減し、雑菌等が加湿体に付着して繁殖することがなく、加湿体をより清潔な状態に保つことができる。
【００２８】
以下、本発明の実施の形態について図面を参照しながら説明する。
【００２９】
（実施の形態１）
図１、図２はタンク設置状態、図３、図４はタンク取り外し状態の加湿装置を示す。
【００３０】
図１、図２に示すように、本実施形態の加湿装置は、空気の吸気口１０と排気口１１を有する本体ケース１２と、この吸気口１０と排気口１１を連通する風路内に、空気を加湿するための立体編物からなる加湿体１３がある。加湿体１３は加湿容器としての貯水トレイ１４に配置されており、加湿体１３の下部は、貯水トレイの蓄えられた水に接して湿潤した状態になっている。貯水トレイ１４には加湿体１３の設置位置を決めるための位置固定手段としての溝部１５を付設している。湿潤した加湿体１３に空気を送るファン１６を運転すると、排気口１１から加湿された空気が放出される。
【００３１】
また、加湿体１３に水を供給するためのタンク１７と、加湿体１３の変形手段１８が本体ケース１２の内部に配置されている。変形手段１８は、Ｖ字形をしており、加湿体接触部としての加湿体押し棒１９と、タンク接触部としてのタンク受け棒２０からなる。水の入ったタンク１７は、タンク受け棒２０に荷重をかけている。加湿体押し棒１９とタンク受け棒２０の間に連動部としてタンク１７と加湿体１３との間の壁に軸支点２１を設け、軸支点２１を支点として変形手段１８は回動する。たとえば、タンク１７を本体ケース１２から取り外す動作によって、タンク受け棒２０に連動して加湿体押し棒１９が、上部支持枠２２を介して加湿体１３を押圧し、加湿体１３が圧縮変形することによって清掃が行われる。
【００３２】
また、タンク受け棒２０と軸支点２１の間には、載荷手段としてのばね２３が付設され、タンク１７設置時には、ばね２３が圧縮されて加湿体１３は圧縮状態から解放されて展開状態となる。図３、図４に示すようにタンク１７を取り出すとばね２３は拡張し、加湿体１３は圧縮変形される。
【００３３】
また、タンク１７がタンク受け棒２０に付設したばね２３を押さえる重さを持たないときにタンク１７を本体ケース１２内にとどめるために、本体ケース１２にはロック機構としての突起２４を付設し、タンク１７を本体ケース１２に設置すると突起２４がタンク１７の溝にはまり、タンク１７が固定される。
【００３４】
図５に示すように、加湿体１３は、上部支持枠２２および下部支持枠２５に係留されて形状が固定されている。加湿体１３の少なくとも一箇所以上には、屈曲部２６が設けられ、前記屈曲部２６で加湿体１３は折れ曲がるようになっている。
【００３５】
上部支持枠２２には、加湿体押し棒１９と接触する押し棒接触溝２７および、上部支持枠２２が上下に移動する際の軌跡を一定にするためのガイド２８が備えられている。加湿体１３には厚みがあるため、屈曲部２６を屈曲点として加湿体１３が折れ曲がると、前記加湿体１３の表面と裏面にはそれぞれ圧縮と引っ張りの力が加わり、加湿体１３は面全体が変形される。
【００３６】
図６に断面図を示すように、上部支持枠２２は、押し棒接触部としての押し棒接触溝２７と、加湿体係留部としてのフック２９と、水補給部３０を備えている。加湿体１３には穴が備えられており、フック２９に加湿体１３の穴を引っ掛けることで上部支持枠に固定されている。下部支持枠２５にも同様のフックが備えられている。上部支持枠２２の上面側には水が通過可能な開口が設けられている。上部支持枠２２が水中に沈むと、開口から水が入り水補給部３０の内部が水で満たされる。上部支持枠２２が水中から水上にあがると、水は加湿体１３の方向に向かって流れ出し、加湿体１３を湿潤させるとともに、加湿体１３に付着した汚れが洗い流される。なお、上部支持枠２２の加湿体と接触する面に凹凸を設けて、加湿体１３に荷重をかけるときに、より複雑な形状に加湿体１３を弾性変形させるようにしてもよい。同様に、貯水トレイ１４の加湿体１３と接する面に凹凸を設けてもよい。
【００３７】
このような構成により、タンク１７を着脱する動作と同時に、加湿装置内部で加湿体１３の清掃を行うことができるので、使用者が清掃時に、本体ケース１２から加湿体１３を取り出す必要が無く、また、貯水トレイ１４の着脱をすることなく、タンク１７を取り外すと同時に加湿体１３の清掃を行うことができる。
【００３８】
すなわち、従来の方法では、加湿体１３を清掃するために、タンク１７を外し、貯水トレイ１４と加湿体１３を本体から外し、加湿体をフィルタケースから取り外して、やっと加湿体１３の清掃が出来るのに対し、本発明では、タンク１７を取り外すだけで加湿体１３の清掃をすることができ、使用者のメンテナンス作業を大幅に軽減することができる。
【００３９】
加湿体が一箇所以上の屈曲部２６を備えているので、加湿体１３が押圧される際には屈曲部２６を屈曲点として加湿体が弾性変形し、常に同じ形状に変形され、加湿体が不均一に変形して汚れの清掃状態が不均一になることがない。また、変形時の力のかかり方が毎回一定であるため、加湿体１３の部分変形がおこりにくく、加湿に適した形状を長時間保つことができる。
【００４０】
貯水トレイ１４には加湿体１３の設置位置を決めるための位置固定手段としての溝部１５を付設している。位置固定手段は、清掃時に加湿体１３が動かないようにできれば特に制約はなく、加湿体１３の下部支持枠２５と突起等で勘合させてもよい。また、貯水トレイ１４には、図示しないガイド２８の移動軌跡を安定させるためのガイド受けを備えていてもよい。
【００４１】
また、空になったタンク１７へ給水するためのタンク１７の取り外し動作と同時に加湿体１３の清掃作業が行なわれるため、汚れが蓄積する前に加湿体１３が清掃され、過剰な力を与えることなく汚れを落とすことができる。
【００４２】
従来の方法では、不定期的に加湿体１３を清掃しようとすると、汚れが大量かつ強固に加湿体にこびりつき、強い力を加えないと清掃ができないことがあり、加湿体１３が損傷することがあった。本発明においては、常に清掃時の荷重力および荷重がかかる向きが一定であり、加湿体１３が損傷する恐れが少なく、高い加湿量を維持することができるという効果を得ることができる。
【００４３】
なお、タンク１７と変形手段の位置関係や、タンク１７の挿入の方向は、タンク１７と変形手段が連動すればどこでもよく、たとえば、タンク１７を本体ケース１２側面からななめに挿入するなどしても良い。
【００４４】
また、加湿体１３が吸水性を有すれば、清掃後も加湿体１３に水が触れれば、すばやく水が供給でき、高い加湿性能を得ることができる。吸水性を有する加湿体１３とは、その一部を水に付けたときに加湿体１３に水が自然と広がり供給されるものを指す。加湿体１３を吸水性素材のアクリルやレーヨン等で構成しても良いし、ポリエステル等の吸水性を持たない基材にシリカゲルやゼオライトなどの無機化合物、コットンリンタなどの糸片などを付着させ吸水能を持たせても良い。
【００４５】
また、毛細管現象を生じさせるために、細かい空隙を有する基材の表面を親水化するなどしても良い。親水化するための例としては、ポリエチレングリコールなどの高分子を素材表面に塗布する方法などが挙げられる。また、繊維間の隙間が小さくなるように繊維の網目を設計し、毛細管現象を利用して吸水性をもたせてもよい。
【００４６】
変形手段１８への載荷手段はタンク１７に限ったものではなく、加湿体押し棒１９に適切な重さの錘を設置する方法や、加湿体押し棒１９を本体外部に貫通させ、直接使用者が加湿体押し棒１９を押す方法でも実現できる。載荷手段は、重量を利用したものだけでなく、ばねやゴム等の反発力、モーター等の動力などを利用してもよい。モーターとギアを用いて加湿体押し棒１９を電動で上下に移動させてもよい。
【００４７】
タンク１７をロックする手段としては、突起２４の他、タンク１７挿入後に蓋により固定しても良いし、タンク１７自体に荷重を持たせても良い。また、タンク１７とタンク接触部を一時的に連結固定できるような磁石やゴムパッキンなどの部材を設置しても良いし、タンク１７をねじ込んで固定するねじ穴等の固定手段を貯水トレイ１４等に設置しても良く、使用者が解除可能な構造であれば特に限定はない。
【００４８】
また、変形手段のうちの加湿体押し棒は、押し棒という形状に限らず、板、突起のあるもの、回転部を備えたものなど特に限定は無く、加湿体１３または加湿体の上部支持枠２２に接触して加湿体１３を清掃できるものならばよい。
【００４９】
図７には弾性変形可能な加湿体１３の一例を示す。弾性変形可能な加湿体とは、加湿体の全体体積を変容できる加湿体を指す。例えば、図７の（ａ）は繊維をばね状に折ったものを複数並べたものであり、（ｂ）は繊維からなる編地であり、（ｃ）は立体編物であり、それぞれ加湿体を押し引きすることで体積を変容させることができる。
【００５０】
伸縮変形可能な加湿体は、加湿体自体が反発性を有するものの他、加湿体の内部構造にばねやワイヤー等の反発力を設けること、加湿体を係留している支持枠等の加湿体以外の部材に加湿体を伸縮させる手段を設けてもよい。
【００５１】
図８および図９に、加湿体１３の断面形状の模式図を示す。加湿装置の加湿運転時には、加湿体１３は貯水トレイ１４の水を吸い上げて湿潤した状態になっている。送風によって水が気化すると、水中の不純物であるスケール成分と空気中のほこりなどの汚れ３１が、加湿体１３の内部に付着していく。汚れ３１の付着量が増えると、水の吸い上げ速度が遅くなり加湿性能が徐々に低下してしまう。
【００５２】
ここで、図９のように加湿体１３を、屈曲部２６を折り曲げながら弾性変形させ、上部支持枠２２および貯水トレイ１４ではさみこんで荷重をくわえることにより、加湿体１３の変形に追随できない汚れ３１が脱着し始める。この動作を貯水トレイ１４の水中で行うことで、汚れ３１は水中に落下あるいは溶解し、加湿体１３から取り除くことができる。上部支持枠２２に加えていた荷重を開放することにより、加湿体１３は自己の弾性力によって、図８のような元の形状に復帰する。ここで、上部支持枠２２を図９の位置から図８の位置に復帰させるために、ばね等の補助手段を用いてもよい。
【００５３】
（実施の形態２）
図１０に、加湿機能付空気清浄機の一例を示す。加湿機能付空気清浄機は、前面側の吸気口４１と、上面側の排気口４２とを有する箱型の本体ケース４３からなる。
【００５４】
また、前記本体ケース４３内の上下方向の中央部分には送風機４４が設けられ、この送風機４４の吸気側と前記本体ケース４３の吸気口４１の間には、吸気口４１側から送風機４４に向けて空気浄化フィルタである集塵フィルタ４５と、脱臭フィルタ４６が設置されている。前記本体ケース４３内の下方（送風機４４の下方）には加湿体４７が設けられている。加湿機能付空気清浄機から空気浄化フィルタである集塵フィルタ４５と、脱臭フィルタ４６を省けば加湿装置として使用できる。
【００５５】
加湿水が貯水されている上面が開口した貯水トレイ４８内に、その下端が水に浸漬された立体編物である加湿体４７と、上部支持枠４９および下部支持枠５０が備えられている。
【００５６】
送風機４４はターボファンにて構成され、しかもその外周に送風ガイドを設けていないので、その全周方向が空気の吹出す方向となっている。
【００５７】
このような送風機４４の吹出側から本体ケース４３の排気口４２の間には、この送風機４４の吹出側から加湿体４７を介して本体ケース４３の排気口４２を結ぶ加湿風路５１が形成されている。
【００５８】
なお、加湿風路５１の加湿体４７より下流の部分は、本体ケース４３内の背面側に配置し、本体ケース４３の排気口４２は、この本体ケース４３の上面側に開口させているので、本体ケース４３の左右方向の薄型化が図れる。
【００５９】
上記構成において、図１０に示しているように、送風機（ターボファン）４４を駆動すると、本体ケース４３の吸気口４１から吸込まれた空気は、集塵フィルタ４５、脱臭フィルタ４６の順に通過し、通過する際に、集塵フィルタ４５においては、埃、アレルゲン等が濾し取られ、脱臭フィルタ４６においては、脱臭フィルタ４６内に充填された活性炭が臭気成分を吸着して、空気を浄化する。
【００６０】
そして、このように浄化された空気は次に送風機（ターボファン）４４の吸気側から吸込まれ、次にその全周の吹出側から吹き出され、その後、加湿体４７を経由する加湿風路５１を通って、排気口４２から室内に吹き出される。ここで、送風機（ターボファン）４４の吹出側から吹き出された空気は、加湿体４７である立体編物を通過する。そして、加湿体４７を通過する際に、この空気によって、加湿体４７に含まれる加湿水が気化し、加湿体４７を通過する空気が加湿される。
【００６１】
加湿体４７は、上部支持枠４９および下部支持枠５０に係留されてその位置が決められ、上部支持枠４９から荷重を加えることによって、加湿体４７が弾性変形して汚れが清掃される仕組みである。
【産業上の利用可能性】
【００６２】
本発明にかかる加湿装置は、加湿体としてのフィルタの清掃を簡略化し、加湿性能を長時間維持させるものであり、加湿機、加湿空気清浄機に使用される加湿フィルタの清掃方法等として有用である。
【符号の説明】
【００６３】
１０  吸気口
１１  排気口
１２  本体ケース
１３  加湿体
１４  貯水トレイ
１５  溝部
１６  ファン
１７  タンク
１８  変形手段
１９  加湿体押し棒
２０  タンク受け棒
２１  軸支点
２２  上部支持枠
２３  ばね
２４  突起
２５  下部支持枠
２６  屈曲部
２７  押し棒接触溝
２８  ガイド
２９  フック
３０  水補給部
３１  汚れ
４１  吸気口
４２  排気口
４３  本体ケース
４４  送風機
４５  集塵フィルタ
４６  脱臭フィルタ
４７  加湿体
４８  貯水トレイ
４９  上部支持枠
５０  下部支持枠
５１  加湿風路
１０１  加湿フィルタ
１０２  貯水トレイ
１０３  フィルタケース
【図１】
2014055682.tif 000003
【図２】
2014055682.tif 000004
【図３】
2014055682.tif 000005
【図４】
2014055682.tif 000006
【図５】
2014055682.tif 000007
【図６】
2014055682.tif 000008
【図７】
2014055682.tif 000009
【図８】
2014055682.tif 000010
【図９】
2014055682.tif 000011
【図１０】
2014055682.tif 000012
【図１１】
2014055682.tif 000013